(57)【要約】【課題】展望窓は外側から清掃するのではなくかご内側で清掃できるような展望窓、昇降路の構成として作業者の安全性を確保し、昇降路を一般のエレベーターと同じ大きさで設計できるような展望用エレベーターのかご装置を得る。【解決手段】展望用エレベーターＡは、周壁の全部又は一部が解放された昇降路１内に昇降自在に設けた、展望窓２ａを有するかご装置２を備え、展望窓２ａが清掃時にかご装置２内に窓側端に設けた回転支点２Ｘ　を引込む方向に開閉自在に設けられ、かご装置２内で展望窓２ａの外側を清掃できるように構成している。【選択図】　図２
2004026482.tif 000002
【特許請求の範囲】
【請求項１】
周壁の全部又は一部が開放された又はガラス等をはめ込んだ昇降路内に展望窓を有するかご装置を昇降自在に備え、展望窓が清掃時にかご装置内に引込む方向に開閉自在に設けられ、かご装置内で展望窓の外側を清掃できるように構成した展望用エレベーターのかご装置。
【請求項２】
前記展望窓を窓側端に設けた回転支点を中心として回転自在に設け、窓他端をかご装置内に引込む方向に開閉するようにしたことを特徴とする請求項１に記載の展望用エレベーターのかご装置。
【請求項３】
前記回転支点を垂直軸の回りに回転する部材とし、展望窓を水平にかご装置内側に引込むように設けたことを特徴とする請求項２に記載の展望用エレベーターのかご装置。
【請求項４】
前記展望窓をかご装置の側壁の少なくとも１面に設けたことを特徴とする請求項１乃至３のいずれかに記載の展望用エレベーターのかご装置。
【発明の詳細な説明】
【０００１】
【発明の属する技術分野】
この発明は、かごパネル面に展望窓を有する展望用エレベーターのかご装置構造の改良に関する。
【０００２】
【従来の技術】
展望用エレベーターは、かご装置のかごパネル面に展望用の窓が設けられ、高所から広く美しい街や夜景を見ることができることから、展望できることを広く訴えて人集めしたいような場所や建物に設置される。このような展望用エレベーターは、かご装置が昇降する昇降路の壁又は囲いの全部又は一部を有さないいわゆるオープンタイプエレベーターと呼ばれる形式のものや、昇降路側の展望部（壁、囲いが無い部分）にガラス等をはめ込んだ形式のものがある。
【０００３】
展望用エレベーターは、特に屋外に設置される場合は窓の汚れがひどくなり、定期的にかごの窓の外側を清掃する必要があり、このような事情を考慮して設計基準である「昇降機技術基準」では設計上の留意事項として昇降路内の最下階又は最上階に清掃するための足場（回廊）（幅５０ｃｍ以上）を設けるように定めており、基本的にはこのような設計基準に従って設計が行われ、実施されている。図４、図５にその一例を示す。１は昇降路、１Ｗ　はガラス等、２はかご装置、２ａは展望窓、３は昇降装置、３ｗ　はワイヤ、３Ｇ　は釣合い重り、４Ｄ　、４Ｆ　は出入口ドアー、５は案内手段、６は清掃用回廊（足場）である。
【０００４】
【発明が解決しようとする課題】
上記従来の展望用エレベーターのかごの窓は外側から清掃する限り、設計基準に従って昇降路を設計する必要があり、従って足場確保のために昇降路が大きくなるという問題がある。又、清掃が昇降路内での作業となるため、落下防止などの安全対策を十分注意して施す必要がある。
【０００５】
この発明は、上記の従来の展望用エレベーターのかご装置の問題に留意して、展望窓はかごの外側から清掃するのではなくかご内側で清掃できるような展望窓、昇降路の構成として作業者の安全性を確保し、昇降路を一般のエレベーターと同じ大きさで設計できるような展望用エレベーターのかご装置を提供することを課題とする。
【０００６】
【課題を解決するための手段】
この発明は、上記の課題を解決する手段として、周壁の全部又は一部が開放された又はガラス等をはめ込んだ昇降路内に展望窓を有するかご装置を昇降自在に備え、展望窓が清掃時にかご装置内に引込む方向に開閉自在に設けられ、かご装置内で展望窓の外側を清掃できるように構成した展望用エレベーターのかご装置としたのである。
【０００７】
上記の構成としたこの発明の展望用エレベーターのかご装置では、展望窓の清掃はかご装置内側で作業員の安全性を確保しながら行われる。かご装置が通常の昇降の際は展望窓はかご装置の側壁のフレームにロック装置により確実に固定され、昇降動作に何ら支障はない。しかし、展望窓が一定期間の間に汚れると、かご装置内側へ引込んでかご装置内側から展望窓の外側の清掃を行うことができる。この場合、当然ロック装置は解除され、展望窓はかご装置の内側に引込む方向に開閉される。
【０００８】
このようなかご装置は、展望窓の清掃を外側から実施する必要がないから、清掃を外側から行うことを前提としたかご装置を設ける場合に必要とされる清掃用回廊は昇降路内に設ける必要がない。このため、昇降路は一般のエレベーターと同様に断面積が小さい構成でよく、かご装置が昇降するのに支障がなければよい。
【０００９】
【実施の形態】
以下、この発明の実施の形態について図面を参照して説明する。図１（ａ）は実施形態の展望用エレベーターの主縦断面図、図１（ｂ）は平面図である。図示のように、展望用エレベーターＡは、建物側壁に隣接して設置されており、周壁の一部（又は全部）が開放され（壁面を有さない）た支持フレームから形成されている昇降路１と、この昇降路１内で昇降するかご装置２と、このかご装置２を昇降駆動する昇降装置３とを備えている。４Ｆ　は最下階で昇降路１に設けられた出入口ドアーであり、最上階にも全く同じ出入口ドアー４が設けられているが、図示簡略化のため省略している。４Ｄ　はかご装置２に設けられた出入口ドアーである。
【００１０】
上記のかご装置２は、かご側面の２面に亘るガラス等の展望窓２ａを有し、かつこの展望窓２ａは窓の側端に設けた回転支点２Ｘ　を中心にかご内側に引込む方向に開閉自在に設けられている。但し、展望窓２ａを図示の正常位置（実線で示す）にセットした時は、かご側面の側壁との間を風雨に対し風雨密の状態に保持するようにシール部材やロック手段を含む安全装置が設けられている。例えば、窓を側壁に固定する箇所にはかぎが設けられており、カギがないと開閉できない構造となっている。
【００１１】
又、窓が開閉していることを確認する検出器（スイッチなど）が設置されており、窓が開いている状態ではかご装置は昇降しないようになっており、最下階に着床している状態でないと窓は開閉しないようにロック機構が設けられている。なお、展望窓２ａは２面を一体のガラス等で形成されている例を示しているが、窓は後で説明するように１面のみとしてもよい。図２に昇降路１内に設けられたかご装置２の窓を内側に開閉する状態を含む部分断面斜視図を示す。
【００１２】
昇降装置３は、詳細は図示していないが、従来の例と同様に、かご装置２に接続されているワイヤ３ｗ　を上端の滑車を介して釣合おもり３Ｇ　に接続して重さをバランスさせ、かつかご装置２に接続されている昇降ワイヤを巻上機に巻込む、あるいは繰り出すよう駆動してガイドレールを含む案内手段５を介して案内しながらかご装置２を昇降させるように設けられている。出入口ドアー４Ｆ　は最上階、最下階でかご装置２の出入口ドアー４Ｄ　に対応する位置に設けられ、かご装置２がいずれかの階に停止すると相互に連動して開閉される。図示の出入口ドアー４Ｆ　、４Ｄ　は２枚扉の形式としているが、エレベーターの大きさに応じた枚数であればよい。なお、図示のように、昇降路１の内法面とかご装置２の外面との間は、最上階、最下階のいずれにも展望窓２ａの清掃のための回廊（足場）は設けられていないから、わずかな隙間しか設けられていない。
【００１３】
上記構成の展望用エレベーターＡは、一般のエレベーターと同様に行先階を指示する操作スイッチ（図示せず）により操作されることは説明するまでもない。この実施形態の展望用エレベーターＡでは、展望窓２ａの汚れを清掃する際には、かご装置２を最下階に着床している状態で、展望窓に取付けられたかぎを操作すると、展望窓２ａをロックしているロック手段が開放される。そこで、展望窓２ａを内側に引込むよう開放し、図１の（ｂ）図における２点鎖線の状態とする。この状態では展望窓２ａがかご装置２内に引込まれているため、窓の外側の汚れをかご装置２内で安全に清掃することができる。
【００１４】
図３にかご装置２の展望窓２ａの形状の変形例について示している。（ａ）は展望窓２ａをかご側面の一面に設けた例、（ｂ）は２面にかつ各面の窓２ａ、２ａが２つの回転支点２Ｘ　、２Ｘ　を中心に独立に開閉できる形式の例、（ｃ）は３面に４つの独立開閉される窓として設けた例である。それぞれの窓２ａの開閉は第１実施形態と同じである。なお、展望窓２ａの形式は図示した例以外にも各種のものがあり得るが、本発明の趣旨の範囲内であればいずれも採用し得る。
【００１５】
【発明の効果】
以上、詳細に説明したように、この発明の展望用エレベーターはかご装置の展望窓をかご装置内に引込む方向に開閉自在に設け、展望窓の外側の汚れをかご装置内で清掃できるようにしたから、かごの中で安全に展望窓の外側の汚れを清掃ができ、昇降路内に清掃用の足場を設ける必要がなく、従って昇降路の断面積を小さくできるため、コスト削減が可能となるという種々の利点が得られる。
【図面の簡単な説明】
【図１】実施形態の展望用エレベーターの（ａ）主縦断面図、（ｂ）（ａ）図の矢視Ｂ−Ｂ断面図
【図２】同上の要部斜視図
【図３】かご装置の展望窓の形式の変形例を示す平面図
【図４】従来例の展望用エレベーターの（ａ）主縦断面図、（ｂ）（ａ）図の矢視Ｂ−Ｂ断面図
【図５】同上の要部斜視図
【符号の説明】
１　昇降路
２　かご装置
２ａ　展望窓
２Ｘ　　回転支点
３　昇降装置
４　出入口ドアー
【図１】
2004026482.tif 000003
【図２】
2004026482.tif 000004
【図３】
2004026482.tif 000005
【図４】
2004026482.tif 000006
【図５】
2004026482.tif 000007